(57)【要約】【課題】歪補償特性の劣化を抑制し、かつ、電圧定在波比の算出精度を維持すること。【解決手段】無線装置は、複数のアンテナ系統と、制御部とを備える。複数のアンテナ系統は、アンテナと、反射信号を第１の反射信号及び第２の反射信号に分岐し、第１の反射信号を他のアンテナ系統へ出力する分岐部とをそれぞれ有する。複数のアンテナ系統は、第２の反射信号、他のアンテナ系統の分岐部によって出力される第１の反射信号、又は送信信号のフィードバック信号を選択し、選択した信号を共通経路を介して出力する選択部をそれぞれ有する。制御部は、複数のアンテナ系統のうち一つのアンテナ系統の選択部によって選択されるフィードバック信号を用いた送信信号の歪の補償が実行される場合に、一つのアンテナ系統の分岐部によって出力される第１の反射信号を用いた定在波比の算出が実行されるように、他のアンテナ系統の選択部を制御する。【選択図】図２
2017005514.tif 000002
【特許請求の範囲】
【請求項１】
アンテナと、送信信号が前記アンテナで反射されて得られる反射信号を第１の反射信号及び第２の反射信号に分岐し、前記第１の反射信号を他のアンテナ系統へ出力する分岐部と、前記第２の反射信号、他のアンテナ系統の前記分岐部によって出力される前記第１の反射信号、又は前記送信信号のフィードバック信号を選択し、選択した信号を共通経路を介して出力する選択部とをそれぞれ有する複数のアンテナ系統と、
各前記アンテナ系統の前記選択部によって選択される前記フィードバック信号を用いて、前記送信信号の歪を補償する歪補償部と、
各前記アンテナ系統の前記選択部によって選択される前記第１の反射信号又は前記第２の反射信号を用いて、定在波比を算出する定在波比算出部と、
前記複数のアンテナ系統のうち一つのアンテナ系統の前記選択部によって選択される前記フィードバック信号を用いた前記送信信号の歪の補償が実行される場合に、前記一つのアンテナ系統の前記分岐部によって出力される前記第１の反射信号を用いた前記定在波比の算出が実行されるように、他のアンテナ系統の前記選択部を制御する制御部と
を備えることを特徴とする無線装置。
【請求項２】
前記歪補償部は、各前記アンテナ系統の前記選択部によって選択される前記フィードバック信号と、対応する前記送信信号との差分を０に近づける歪補償係数を算出し、算出した歪補償係数を用いて、前記送信信号の歪を補償し、
前記制御部は、前記一つのアンテナ系統の前記選択部によって選択される前記フィードバック信号と、対応する前記送信信号との差分が予め定められた閾値よりも大きい場合に、前記他のアンテナ系統の前記選択部を制御することを特徴とする請求項１に記載の無線装置。
【請求項３】
前記制御部は、前記差分が予め定められた閾値以下である場合に、前記他のアンテナ系統の前記選択部の制御を停止し、前記送信信号の歪の補償が終了した後に、前記第２の反射信号を用いた前記定在波比の算出が実行されるように、前記一つのアンテナ系統の前記選択部を制御することを特徴とする請求項２に記載の無線装置。
【請求項４】
各前記アンテナ系統の前記選択部は、前記第２の反射信号、他のアンテナ系統の前記分岐部によって出力される前記第１の反射信号、前記送信信号のフィードバック信号、又は受信信号を選択し、選択した信号を前記共通経路を介して出力し、
前記制御部は、さらに、各前記アンテナ系統の前記選択部によって選択される前記受信信号を、所定の受信処理を行う受信信号処理部に入力させることを特徴とする請求項１〜３のいずれか一つに記載の無線装置。
【請求項５】
前記無線装置は、時分割多重方式が適用された無線装置であり、
前記制御部は、前記時分割多重方式の送信区間において、前記送信信号の歪の補償が実行される場合に、前記他のアンテナ系統の前記選択部の制御を行うことを特徴とする請求項１〜４のいずれか一つに記載の無線装置。
【発明の詳細な説明】
【技術分野】
【０００１】
本発明は、無線装置に関する。
【背景技術】
【０００２】
従来、基地局などの無線装置には、送信信号に対して歪補償を行うものがある。具体的には、無線装置によって送信される信号は、増幅が行われることにより歪みが発生する。このため、無線装置は、増幅後の送信信号を歪補償回路にフィードバックすることにより、送信信号の歪を補償する。
【０００３】
また、近年では、アンテナの高周波特性を監視するための指標として、電圧定在波比（ＶＳＷＲ：Voltage  Standing  Wave  Ratio）を測定する無線装置がある。電圧定在波比は、進行波と、反射波との電圧の比である。ここで、進行波とは、無線装置の送信信号であり、反射波とは、送信信号がアンテナで反射されて得られる反射信号である。
【先行技術文献】
【特許文献】
【０００４】
【特許文献１】特開２０１３−１１０６９３号公報
【特許文献２】特開２００５−３２３２０３号公報
【発明の概要】
【発明が解決しようとする課題】
【０００５】
ところで、従来の無線装置では、送信信号のフィードバック信号をフィードバックする回路と、反射信号をフィードバックする回路とが別々に搭載される場合、回路規模が増大する恐れがある。
【０００６】
これに対して、回路規模を削減するために、送信信号のフィードバック信号をフィードバックする回路と、反射信号をフィードバックする回路とを部分的に共有化する構造が考えられる。この構造では、例えば、無線装置は、反射信号又は送信信号のフィードバック信号を選択部によって選択し、選択した信号を共通経路を介して歪補償部又は定在波比算出部へ出力する。
【０００７】
しかしながら、回路を部分的に共有化する構造では、歪補償特性の劣化を抑制し、かつ、電圧定在波比の算出精度を維持することが困難である。すなわち、回路を部分的に共有化する構造では、選択部によって送信信号のフィードバック信号が選択されて送信信号の歪の補償が実行される場合、反射信号が選択されないため、電圧定在波比の算出が実行されない。このため、電圧定在波比の算出精度が低下する。その一方で、選択部によって反射信号が選択されて電圧定在波比の算出が実行される場合、送信信号のフィードバック信号が選択されないため、歪補償が実行されない。このため、歪補償特性が劣化する。
【０００８】
開示の技術は、上記に鑑みてなされたものであって、歪補償特性の劣化を抑制し、かつ、電圧定在波比の算出精度を維持することができる無線装置を提供することを目的とする。
【課題を解決するための手段】
【０００９】
本願の開示する無線装置は、一つの態様において、複数のアンテナ系統と、歪補償部と、定在波比算出部と、制御部とを備える。前記複数のアンテナ系統は、アンテナと、送信信号が前記アンテナで反射されて得られる反射信号を第１の反射信号及び第２の反射信号に分岐し、前記第１の反射信号を他のアンテナ系統へ出力する分岐部とをそれぞれ有する。また、前記複数のアンテナ系統は、前記第２の反射信号、他のアンテナ系統の前記分岐部によって出力される前記第１の反射信号、又は前記送信信号のフィードバック信号を選択し、選択した信号を共通経路を介して出力する選択部をそれぞれ有する。前記歪補償部は、各前記アンテナ系統の前記選択部によって選択される前記フィードバック信号を用いて、前記送信信号の歪を補償する。前記定在波比算出部は、各前記アンテナ系統の前記選択部によって選択される前記第１の反射信号又は前記第２の反射信号を用いて、定在波比を算出する。前記制御部は、前記複数のアンテナ系統のうち一つのアンテナ系統の前記選択部によって選択される前記フィードバック信号を用いた前記送信信号の歪の補償が実行される場合に、前記一つのアンテナ系統の前記分岐部によって出力される前記第１の反射信号を用いた前記定在波比の算出が実行されるように、他のアンテナ系統の前記選択部を制御する。
【発明の効果】
【００１０】
本願の開示する無線装置の一つの態様によれば、歪補償特性の劣化を抑制し、かつ、電圧定在波比の算出精度を維持することができるという効果を奏する。
【図面の簡単な説明】
【００１１】
【図１】図１は、実施例１に係る無線基地局装置の構成例を示す図である。
【図２】図２は、実施例１におけるＲＲＨの詳細を示すブロック図である。
【図３】図３は、ＲＲＨによる処理動作の一例を説明するための図（その１）である。
【図４】図４は、ＲＲＨによる処理動作の一例を説明するための図（その２）である。
【図５】図５は、ＲＲＨにおける信号の選択処理の流れを示すフローチャート（その１）である。
【図６】図６は、ＲＲＨにおける信号の選択処理の流れを示すフローチャート（その２）である。
【図７】図７は、実施例２におけるＲＲＨの詳細を示すブロック図である。
【発明を実施するための形態】
【００１２】
以下に、本願の開示する無線装置の実施例を図面に基づいて詳細に説明する。なお、この実施例により開示技術が限定されるものではない。
【実施例１】
【００１３】
図１は、実施例１に係る無線基地局装置の構成例を示す図である。図１に示すように、実施例１に係る無線基地局装置は、Remote  Radio  Head（ＲＲＨ）１及びBase  Band  Unit（ＢＢＵ）２を有する。
【００１４】
ＢＢＵ２は、無線制御部（無線制御装置）である。ＢＢＵ２は、信号の送受信の制御や、ベースバンド処理を行う。
【００１５】
ＲＲＨ１は、無線部（無線装置）である。ＲＲＨ１は、ＢＢＵ２から送信されたベースバンド信号を無線信号に変換し、変換した信号をアンテナを介して外部装置に送信する。また、ＲＲＨ１は、外部装置から送信された信号をアンテナにより受信し、受信した信号をベースバンド信号に変換し、変換した信号をＢＢＵ２へ送信する。
【００１６】
次に、図２を参照して、ＲＲＨ１の詳細について説明する。図２は、実施例１におけるＲＲＨの詳細を示すブロック図である。図２に示すように、ＲＲＨ１は、アンテナ系統１０，３０及び信号処理部５０を有する。また、信号処理部５０は、送信信号処理部５１、受信信号処理部５２及びＳＷ（Switch）制御部５３を有する。また、ＲＲＨ１には、「送信区間」と「受信区間」とが時間的に分けられる時分割多重（ＴＤＤ：Time  Division  Duplex）方式が適用される。なお、以下では、アンテナ系統１０，３０を「複数のアンテナ系統」と呼び、アンテナ系統１０，３０の各々を「各アンテナ系統」と呼ぶことがある。
【００１７】
アンテナ系統１０は、アンテナ１１、ＤＡＣ（Digital  Analog  Converter）１２、周波数変換器１３、増幅器（ＰＡ：Power  Amplifier）１４、ＣＰＬ（Coupler）１５、ＣＩＲ（Circulator）１６、ＢＰＦ（Band  Pass  Filter）１７、ＣＰＬ１８及び分岐器１９を有する。また、アンテナ系統１０は、ＳＷ部２０、ＡＴＴ（Attenuator）２１、周波数変換器２２及びＡＤＣ（Analog  Digital   Converter）２３を有する。また、アンテナ系統１０は、ＬＮＡ（Low  Noise  Amplifier）２４、周波数変換器２５及びＡＤＣ２６を有する。
【００１８】
アンテナ１１は、ＣＰＬ１８から入力される信号を外部装置に送信する。また、アンテナ１１は、外部装置から送信される信号を受信してＣＰＬ１８へ出力する。
【００１９】
ＤＡＣ１２は、送信信号の入力を送信信号処理部５１から受ける。ＤＡＣ１２は、ディジタル信号である送信信号をアナログ信号に変換し、アナログ信号に変換された送信信号を周波数変換器１３へ出力する。
【００２０】
周波数変換器１３は、送信信号の入力をＤＡＣ１２から受ける。周波数変換器１３は、送信信号に対して周波数変換を施して無線信号に変換する。周波数変換器１３は、無線信号に変換された送信信号をＰＡ１４へ出力する。
【００２１】
ＰＡ１４は、無線信号に変換された送信信号の入力を周波数変換器１３から受ける。ＰＡ１４は、送信信号を増幅し、増幅した送信信号をＣＰＬ１５へ出力する。
【００２２】
ＣＰＬ１５は、送信信号の入力をＰＡ１４から受ける。ＣＰＬ１５は、送信信号を２つの送信信号に分岐し、一方の送信信号をＣＩＲ１６へ出力し、他方の送信信号をフィードバック信号としてＳＷ部２０へ出力する。
【００２３】
ＣＩＲ１６は、送信信号の入力をＣＰＬ１５から受け、送信信号をＢＰＦ１７へ出力する。また、ＣＩＲ１６は、受信信号の入力をＣＰＬ１８及びＢＰＦ１７を介してアンテナ１１から受け、受信信号をＬＮＡ２４へ出力する。
【００２４】
ＢＰＦ１７は、送信信号の入力をＣＩＲ１６から受ける。ＢＰＦ１７は、予め定められた周波数帯域に属する送信信号のみを通過させ、通過させた送信信号をＣＰＬ１８へ出力する。また、ＢＰＦ１７は、受信信号の入力をアンテナ１１から受ける。ＢＰＦ１７は、予め定められた周波数帯域に属する受信信号のみを通過させ、通過させた受信信号をＣＩＲ１６へ出力する。
【００２５】
ＣＰＬ１８は、送信信号の入力をＢＰＦ１７から受ける。ＣＰＬ１８は、送信信号を、アンテナ１１を介して外部装置へ送信する。また、ＣＰＬ１８は、送信信号がアンテナ１１で反射されて得られる反射信号の入力をアンテナ１１から受ける。ＣＰＬ１８は、反射信号を分岐器１９へ出力する。また、ＣＰＬ１８は、外部装置から送信される信号をアンテナ１１を介して受信する。ＣＰＬ１８は、受信信号をＢＰＦ１７へ出力する。
【００２６】
分岐器１９は、反射信号の入力をＣＰＬ１８から受ける。分岐器１９は、反射信号を第１の反射信号及び第２の反射信号に分岐し、第１の反射信号を他のアンテナ系統であるアンテナ系統３０へ出力し、第２の反射信号をＳＷ部２０へ出力する。分岐器１９は、分岐部の一例である。
【００２７】
ＳＷ部２０は、第２の反射信号、後述するアンテナ系統３０の分岐器３９によって出力される第１の反射信号、又は送信信号のフィードバック信号を選択し、選択した信号を共通経路を介して出力する。具体的には、ＳＷ部２０は、ＳＷ２０ａ及びＳＷ２０ｂを有する。
【００２８】
ＳＷ２０ａは、フィードバック信号の入力をＣＰＬ１５から受け、第２の反射信号の入力を分岐器１９から受ける。ＳＷ２０ａは、フィードバック信号又は第２の反射信号を選択し、選択したフィードバック信号又は第２の反射信号をＳＷ２０ｂへ出力する。
【００２９】
ＳＷ２０ｂは、フィードバック信号又は第２の反射信号の入力をＳＷ２０ａから受け、アンテナ系統３０の分岐器３９によって出力される第１の反射信号の入力をアンテナ系統３０の分岐器３９から受ける。ＳＷ２０ｂは、第２の反射信号、アンテナ系統３０の分岐器３９によって出力される第１の反射信号、又はフィードバック信号を選択し、選択した信号をＡＴＴ２１へ出力する。ＳＷ２０ｂからＡＴＴ２１へ出力された信号は、ＡＴＴ２１、周波数変換器２２及びＡＤＣ２３を介してアンテナ系統１０から出力され、信号処理部５０の送信信号処理部５１へ入力される。
【００３０】
このように、ＳＷ部２０は、ＳＷ２０ａ及びＳＷ２０ｂを用いて、第２の反射信号、アンテナ系統３０の分岐器３９によって出力される第１の反射信号、又は送信信号のフィードバック信号を選択する。そして、ＳＷ部２０は、選択した信号を、共通経路である、ＡＴＴ２１、周波数変換器２２及びＡＤＣ２３を介して、信号処理部５０の送信信号処理部５１へ出力する。このように、ＡＴＴ２１、周波数変換器２２及びＡＤＣ２３が共通経路として共用されることによって、アンテナ系統１０の回路規模が削減される。
【００３１】
なお、ＳＷ部２０における信号の選択は、後述するＳＷ制御部５３によって制御される。ＳＷ部２０は、選択部の一例である。
【００３２】
ＡＴＴ２１は、ＳＷ部２０によって選択される、第２の反射信号、アンテナ系統３０の分岐器３９によって出力される第１の反射信号、又は送信信号のフィードバック信号の入力を受ける。ＡＴＴ２１は、第２の反射信号、アンテナ系統３０の分岐器３９によって出力される第１の反射信号、又は送信信号のフィードバック信号の電力を減衰させ、減衰させた信号を周波数変換器２２へ出力する。
【００３３】
周波数変換器２２は、第２の反射信号、アンテナ系統３０の分岐器３９によって出力される第１の反射信号、又は送信信号のフィードバック信号の入力をＡＴＴ２１から受ける。周波数変換器２２は、第２の反射信号、アンテナ系統３０の分岐器３９によって出力される第１の反射信号、又は送信信号のフィードバック信号に対して周波数変換を施してベースバンド信号に変換し、ベースバンド信号に変換された信号をＡＤＣ２３へ出力する。
【００３４】
ＡＤＣ２３は、第２の反射信号、アンテナ系統３０の分岐器３９によって出力される第１の反射信号、又は送信信号のフィードバック信号の入力を周波数変換器２２から受ける。ＡＤＣ２３は、第２の反射信号、アンテナ系統３０の分岐器３９によって出力される第１の反射信号、又は送信信号のフィードバック信号をディジタル信号に変換し、ディジタル信号に変換された信号を信号処理部５０の送信信号処理部５１へ出力する。
【００３５】
ＬＮＡ２４は、受信信号の入力をＣＩＲ１６から受ける。ＬＮＡ２４は、受信信号を増幅し、増幅した受信信号を周波数変換器２５へ出力する。
【００３６】
周波数変換器２５は、受信信号の入力をＬＮＡ２４から受ける。周波数変換器２５は、受信信号に対して周波数変換を施してベースバンド信号に変換し、ベースバンド信号に変換された受信信号をＡＤＣ２６へ出力する。
【００３７】
ＡＤＣ２６は、受信信号の入力を周波数変換器２５から受ける。ＡＤＣ２６は、受信信号をディジタル信号に変換し、ディジタル信号に変換された受信信号を信号処理部５０の受信信号処理部５２へ出力する。
【００３８】
アンテナ系統３０は、アンテナ３１、ＤＡＣ３２、周波数変換器３３、ＰＡ３４、ＣＰＬ３５、ＣＩＲ３６、ＢＰＦ３７、ＣＰＬ３８及び分岐器３９を有する。また、アンテナ系統３０は、ＳＷ部４０、ＡＴＴ４１、周波数変換器４２及びＡＤＣ４３を有する。また、アンテナ系統３０は、ＬＮＡ４４、周波数変換器４５及びＡＤＣ４６を有する。
【００３９】
アンテナ３１は、ＣＰＬ３８から入力される信号を外部装置に送信する。また、アンテナ３１は、外部装置から送信される信号を受信してＣＰＬ３８へ出力する。
【００４０】
ＤＡＣ３２は、送信信号の入力を送信信号処理部５１から受ける。ＤＡＣ３２は、ディジタル信号である送信信号をアナログ信号に変換し、アナログ信号に変換された送信信号を周波数変換器３３へ出力する。
【００４１】
周波数変換器３３は、送信信号の入力をＤＡＣ３２から受ける。周波数変換器３３は、送信信号に対して周波数変換を施して無線信号に変換する。周波数変換器３３は、無線信号に変換された送信信号をＰＡ３４へ出力する。
【００４２】
ＰＡ３４は、無線信号に変換された送信信号の入力を周波数変換器３３から受ける。ＰＡ３４は、送信信号を増幅し、増幅した送信信号をＣＰＬ３５へ出力する。
【００４３】
ＣＰＬ３５は、送信信号の入力をＰＡ３４から受ける。ＣＰＬ３５は、送信信号を２つの送信信号に分岐し、一方の送信信号をＣＩＲ３６へ出力し、他方の送信信号をフィードバック信号としてＳＷ部４０へ出力する。
【００４４】
ＣＩＲ３６は、送信信号の入力をＣＰＬ３５から受け、送信信号をＢＰＦ３７へ出力する。また、ＣＩＲ３６は、受信信号の入力をＣＰＬ３８及びＢＰＦ３７を介してアンテナ３１から受け、受信信号をＬＮＡ４４へ出力する。
【００４５】
ＢＰＦ３７は、送信信号の入力をＣＩＲ３６から受ける。ＢＰＦ３７は、予め定められた周波数帯域に属する送信信号のみを通過させ、通過させた送信信号をＣＰＬ３８へ出力する。また、ＢＰＦ３７は、受信信号の入力をアンテナ３１から受ける。ＢＰＦ３７は、予め定められた周波数帯域に属する受信信号のみを通過させ、通過させた受信信号をＣＩＲ３６へ出力する。
【００４６】
ＣＰＬ３８は、送信信号の入力をＢＰＦ３７から受ける。ＣＰＬ３８は、送信信号を、アンテナ３１を介して外部装置へ送信する。また、ＣＰＬ３８は、送信信号がアンテナ３１で反射されて得られる反射信号の入力をアンテナ３１から受ける。ＣＰＬ３８は、反射信号を分岐器３９へ出力する。また、ＣＰＬ３８は、外部装置から送信される信号をアンテナ３１を介して受信する。ＣＰＬ３８は、受信信号をＢＰＦ３７へ出力する。
【００４７】
分岐器３９は、反射信号の入力をＣＰＬ３８から受ける。分岐器３９は、反射信号を第１の反射信号及び第２の反射信号に分岐し、第１の反射信号を他のアンテナ系統であるアンテナ系統１０へ出力し、第２の反射信号をＳＷ部４０へ出力する。分岐器３９は、分岐部の一例である。
【００４８】
ＳＷ部４０は、第２の反射信号、アンテナ系統１０の分岐器１９によって出力される第１の反射信号、又は送信信号のフィードバック信号を選択し、選択した信号を共通経路を介して出力する。具体的には、ＳＷ部４０は、ＳＷ４０ａ及びＳＷ４０ｂを有する。
【００４９】
ＳＷ４０ａは、フィードバック信号の入力をＣＰＬ３５から受け、第２の反射信号の入力を分岐器３９から受ける。ＳＷ４０ａは、フィードバック信号又は第２の反射信号を選択し、選択したフィードバック信号又は第２の反射信号をＳＷ４０ｂへ出力する。
【００５０】
ＳＷ４０ｂは、フィードバック信号又は第２の反射信号の入力をＳＷ４０ａから受け、アンテナ系統１０の分岐器１９によって出力される第１の反射信号の入力をアンテナ系統１０の分岐器１９から受ける。ＳＷ４０ｂは、第２の反射信号、アンテナ系統１０の分岐器１９によって出力される第１の反射信号、又はフィードバック信号を選択し、選択した信号をＡＴＴ４１へ出力する。ＳＷ４０ｂからＡＴＴ４１へ出力された信号は、ＡＴＴ４１、周波数変換器４２及びＡＤＣ４３を介してアンテナ系統３０から出力され、信号処理部５０の送信信号処理部５１へ入力される。
【００５１】
このように、ＳＷ部４０は、ＳＷ４０ａ及びＳＷ４０ｂを用いて、第２の反射信号、アンテナ系統１０の分岐器１９によって出力される第１の反射信号、又は送信信号のフィードバック信号を選択する。そして、ＳＷ部４０は、選択した信号を、共通経路である、ＡＴＴ４１、周波数変換器４２及びＡＤＣ４３を介して、信号処理部５０の送信信号処理部５１へ出力する。このように、ＡＴＴ４１、周波数変換器４２及びＡＤＣ４３が共通経路として用いられることによって、アンテナ系統３０の回路規模が削減される。
【００５２】
なお、ＳＷ部４０における信号の選択は、後述するＳＷ制御部５３によって制御される。
【００５３】
ＡＴＴ４１は、ＳＷ部４０によって選択される、第２の反射信号、アンテナ系統１０の分岐器１９によって出力される第１の反射信号、又は送信信号のフィードバック信号の入力を受ける。ＡＴＴ４１は、第２の反射信号、アンテナ系統１０の分岐器１９によって出力される第１の反射信号、又は送信信号のフィードバック信号の電力を減衰させ、減衰させた信号を周波数変換器４２へ出力する。
【００５４】
周波数変換器４２は、第２の反射信号、アンテナ系統１０の分岐器１９によって出力される第１の反射信号、又は送信信号のフィードバック信号の入力をＡＴＴ４１から受ける。周波数変換器４２は、第２の反射信号、アンテナ系統１０の分岐器１９によって出力される第１の反射信号、又は送信信号のフィードバック信号に対して周波数変換を施してベースバンド信号に変換し、ベースバンド信号に変換された信号をＡＤＣ４３へ出力する。
【００５５】
ＡＤＣ４３は、第２の反射信号、アンテナ系統１０の分岐器１９によって出力される第１の反射信号、又は送信信号のフィードバック信号の入力を周波数変換器４２から受ける。ＡＤＣ４３は、第２の反射信号、アンテナ系統１０の分岐器１９によって出力される第１の反射信号、又は送信信号のフィードバック信号をディジタル信号に変換し、ディジタル信号に変換された信号を信号処理部５０の送信信号処理部５１へ出力する。
【００５６】
ＬＮＡ４４は、受信信号の入力をＣＩＲ３６から受ける。ＬＮＡ４４は、受信信号を増幅し、増幅した受信信号を周波数変換器４５へ出力する。
【００５７】
周波数変換器４５は、受信信号の入力をＬＮＡ４４から受ける。周波数変換器４５は、受信信号に対して周波数変換を施してベースバンド信号に変換し、ベースバンド信号に変換された受信信号をＡＤＣ４６へ出力する。
【００５８】
ＡＤＣ４６は、受信信号の入力を周波数変換器４５から受ける。ＡＤＣ４６は、受信信号をディジタル信号に変換し、ディジタル信号に変換された受信信号を信号処理部５０の受信信号処理部５２へ出力する。
【００５９】
送信信号処理部５１は、歪補償部５１ａ及び電圧定在波比（ＶＳＷＲ：Voltage  Standing  Wave  Ratio）算出部５１ｂを有する。歪補償部５１ａは、Digital  Pre-Distortion（ＤＰＤ）方式の歪補償を行う回路である。歪補償部５１ａは、各アンテナ系統のＳＷ部（ＳＷ部２０又はＳＷ部４０）によって選択されるフィードバック信号を用いて、対応する送信信号の歪を補償する。具体的には、歪補償部５１ａは、ベースバンド信号である送信信号の入力をＢＢＵ２から受ける。歪補償部５１ａは、各アンテナ系統のＳＷ部（ＳＷ部２０又はＳＷ部４０）によって選択されるフィードバック信号の入力を各アンテナ系統のＡＤＣ（ＡＤＣ２３又はＡＤＣ４３）から受ける。歪補償部５１ａは、フィードバック信号と、対応する送信信号とを比較して差分を求め、求めた差分を０に近づける歪補償係数を算出し、算出した歪補償係数を用いて、対応する送信信号の歪を補償する。そして、歪補償部５１ａは、歪補償処理が施された送信信号を各アンテナ系統のＤＡＣ（ＤＡＣ１２又はＤＡＣ３２）へ出力する。また、歪補償部５１ａは、歪補償係数の算出に用いられた、フィードバック信号と、対応する送信信号との差分を示す情報をＳＷ制御部５３へ出力する。
【００６０】
ＶＳＷＲ算出部５１ｂは、各アンテナ系統のＳＷ部（ＳＷ部２０又はＳＷ部４０）によって選択される第１の反射信号又は第２の反射信号を用いて、対応するアンテナ（アンテナ１１又はアンテナ３１）のＶＳＷＲを算出する。具体的には、ＶＳＷＲ算出部５１ｂは、ベースバンド信号である送信信号の入力をＢＢＵ２から受ける。ＶＳＷＲ算出部５１ｂは、各アンテナ系統のＳＷ部（ＳＷ部２０又はＳＷ部４０）によって選択される第１の反射信号又は第２の反射信号の入力を各アンテナ系統のＡＤＣ（ＡＤＣ２３又はＡＤＣ４３）から受ける。ＶＳＷＲ算出部５１ｂは、送信信号に対する第１の反射信号又は第２の反射信号の電圧比率であるＶＳＷＲを算出する。ＶＳＷＲは、定在波比の一例であり、ＶＳＷＲ算出部５１ｂは、定在波比算出部の一例である。
【００６１】
また、送信信号処理部５１は、時分割多重方式の送信区間のタイミングを制御する。そして、送信信号処理部５１は、送信区間の開始タイミング及び終了タイミングを示す情報をＳＷ制御部５３へ出力する。
【００６２】
また、送信信号処理部５１は、時分割多重方式の送信区間において、ＢＢＵ２から入力される送信信号のデータ量に応じて、アンテナ系統１０，３０のうちいずれか一方を用いて信号の送信を行うか、又は、両方を用いて信号の送信を行うかを決定する。そして、送信信号処理部５１は、決定した送信方式を示す情報をＳＷ制御部５３へ出力する。
【００６３】
受信信号処理部５２は、時分割多重方式の受信区間のタイミングを制御する。そして、受信信号処理部５２は、受信区間の開始タイミング及び終了タイミングを示す情報をＳＷ制御部５３へ出力する。
【００６４】
また、受信信号処理部５２は、時分割多重方式の受信区間において、受信信号の入力を各アンテナ系統のＡＤＣ（ＡＤＣ２６又はＡＤＣ４６）から受ける。そして、受信信号処理部５２は、受信信号に対して所定の受信処理を施し、受信処理が施された受信信号をＢＢＵ２へ送信する。
【００６５】
ＳＷ制御部５３は、各アンテナ系統のＳＷ部（ＳＷ部２０又はＳＷ部４０）を制御する。具体的には、ＳＷ制御部５３は、アンテナ系統１０，３０のうち一つのアンテナ系統のＳＷ部によって選択されるフィードバック信号を用いた送信信号の歪の補償が実行される場合に、以下の処理を行う。すなわち、ＳＷ制御部５３は、一つのアンテナ系統の分岐器によって出力される第１の反射信号を用いたＶＳＷＲの算出が実行されるように、他のアンテナ系統のＳＷ部を制御する。
【００６６】
ここで、ＳＷ制御部５３の制御について、さらに詳細に説明する。例えば、アンテナ系統１０のＳＷ部２０によってフィードバック信号が選択されることによって、アンテナ系統１０に対応するフィードバック信号を用いた送信信号の歪の補償が歪補償部５１ａによって実行される場合を想定する。この場合、ＳＷ制御部５３は、アンテナ系統１０の分岐器１９によって出力される第１の反射信号を用いたＶＳＷＲの算出が実行されるように、他のアンテナ系統であるアンテナ系統３０のＳＷ部４０を制御する。具体的には、ＳＷ制御部５３は、アンテナ系統１０の分岐器１９によって出力される第１の反射信号を選択する旨を指示する選択指令をＳＷ部４０のＳＷ４０ｂへ送出する。ＳＷ部４０のＳＷ４０ｂは、選択指令を受け付けると、アンテナ系統１０の分岐器１９によって出力される第１の反射信号を選択し、選択した第１の反射信号を共通経路を介して送信信号処理部５１のＶＳＷＲ算出部５１ｂへ出力する。これにより、アンテナ系統１０に対応するフィードバック信号を用いた送信信号の歪の補償が歪補償部５１ａによって実行される場合に、アンテナ系統１０に対応する第１の反射信号を用いたＶＳＷＲの算出がＶＳＷＲ算出部５１ｂによって実行される。
【００６７】
また、例えば、アンテナ系統３０のＳＷ部４０によってフィードバック信号が選択されることによって、アンテナ系統３０に対応するフィードバック信号を用いた送信信号の歪の補償が歪補償部５１ａによって実行される場合を想定する。この場合、ＳＷ制御部５３は、アンテナ系統３０の分岐器３９によって出力される第１の反射信号を用いたＶＳＷＲの算出が実行されるように、他のアンテナ系統であるアンテナ系統１０のＳＷ部２０を制御する。具体的には、ＳＷ制御部５３は、アンテナ系統３０の分岐器３９によって出力される第１の反射信号を選択する旨を指示する選択指令をＳＷ部２０のＳＷ２０ｂへ送出する。ＳＷ部２０のＳＷ２０ｂは、選択指令を受け付けると、アンテナ系統３０の分岐器３９によって出力される第１の反射信号を選択し、選択した第１の反射信号を共通経路を介して送信信号処理部５１のＶＳＷＲ算出部５１ｂへ出力する。これにより、アンテナ系統３０に対応するフィードバック信号を用いた送信信号の歪の補償が歪補償部５１ａによって実行される場合に、アンテナ系統３０に対応する第１の反射信号を用いたＶＳＷＲの算出がＶＳＷＲ算出部５１ｂによって実行される。
【００６８】
また、ＳＷ制御部５３は、時分割多重方式の送信区間において、アンテナ系統１０，３０のうち一つのアンテナ系統のＳＷ部によって選択されるフィードバック信号を用いた送信信号の歪の補償が実行される場合に、他のアンテナ系統のＳＷ部を制御する。
【００６９】
また、ＳＷ制御部５３は、歪補償係数の算出に用いられた、フィードバック信号と、対応する送信信号との差分（以下単に「差分」という）を示す情報を歪補償部５１ａから受ける。そして、ＳＷ制御部５３は、送信信号の歪の補償が実行され、かつ、差分が予め定められた閾値よりも大きい場合に、他のアンテナ系統のＳＷ部を制御する。差分が予め定められた閾値よりも大きい場合、差分を０に近づける歪補償係数を算出するための時間が比較的に長くなり、時分割多重方式の送信区間において、ＶＳＷＲを算出するための時間が残されない可能性がある。そこで、ＳＷ制御部５３は、一つのアンテナ系統に対応する送信信号の歪の補償が実行され、かつ、差分が予め定められた閾値よりも大きい場合に、他のアンテナ系統のＳＷ部を制御することによって、一つのアンテナ系統に対応するＶＳＷＲの算出を可能とする。
【００７０】
一方、ＳＷ制御部５３は、送信信号の歪の補償が実行され、かつ、差分が予め定められた閾値以下である場合に、他のアンテナ系統のＳＷ部の制御を停止し、送信信号の歪の補償が終了した後に、以下の処理を行う。すなわち、ＳＷ制御部５３は、一つのアンテナ系統の分岐器によって出力される第２の反射信号を用いたＶＳＷＲの算出が実行されるように、一つのアンテナ系統のＳＷ部を制御する。例えば、アンテナ系統１０に対応する歪の補償が実行され、かつ、差分が予め定められた閾値以下である場合を想定する。この場合、差分を０に近づける歪補償係数を算出するための時間が比較的に短くなり、時分割多重方式の送信区間において、ＶＳＷＲを算出するための時間が残存する可能性が高い。そこで、ＳＷ制御部５３は、アンテナ系統１０の分岐器１９によって出力される第２の反射信号を用いたＶＳＷＲが実行されるように、アンテナ系統１０のＳＷ部２０を制御する。具体的には、ＳＷ制御部５３は、アンテナ系統１０の分岐器１９によって出力される第２の反射信号を選択する旨を指示する選択指令をＳＷ部２０のＳＷ２０ａ及びＳＷ２０ｂへ送出する。ＳＷ部２０のＳＷ２０ａ及びＳＷ２０ｂは、選択指令を受け付けると、アンテナ系統１０の分岐器１９によって出力される第２の反射信号を選択し、選択した第２の反射信号を共通経路を介して送信信号処理部５１のＶＳＷＲ算出部５１ｂへ出力する。これにより、アンテナ系統１０のみを用いて、送信信号の歪の補償及びＶＳＷＲの算出の両方が実行される。
【００７１】
次に、図３及び図４を参照して、ＲＲＨ１による処理動作の一例について説明する。図３は、ＲＲＨによる処理動作の一例を説明するための図（その１）である。図３の例では、アンテナ系統１０，３０のうちアンテナ系統１０のみを用いて信号の送受信が実行される場合の処理動作を説明するものとする。なお、アンテナ系統１０，３０のうちアンテナ系統１０のみを用いて信号の送受信が実行される場合としては、例えば、報知情報等の、比較的にデータ量の小さい送信信号を外部装置へ送信する場合等が想定される。
【００７２】
例えば、時分割多重方式では、送信区間と、受信区間とが明確に区分されている。図３の最上段に示すように、送信区間（図３の例では、「ＴＸ」と記載）、受信区間（図３の例では、「ＲＸ」と記載）、送信区間、受信区間の順番で、区間が切り替えられるものとする。
【００７３】
図３の上から２段目に示すように、最初の送信区間が開始されると、ＳＷ制御部５３は、送信信号のフィードバック信号ＦＢ０を選択する旨を指示する選択指令をアンテナ系統１０のＳＷ部２０へ送出する。ＳＷ部２０のＳＷ２０ａ及びＳＷ２０ｂは、選択指令を受け付けると、フィードバック信号ＦＢ０を選択し、選択したフィードバック信号ＦＢ０を共通経路を介して送信信号処理部５１の歪補償部５１ａへ出力する。これにより、アンテナ系統１０に対応するフィードバック信号ＦＢ０を用いた送信信号の歪の補償が歪補償部５１ａによって実行される。
【００７４】
ここで、最初の送信区間が開始されてから所定数の送信区間が繰り返されるまでの前半区間（図３の例では、「Ａ区間」と記載）では、フィードバック信号ＦＢ０の時間変動が比較的に大きいため、フィードバック信号ＦＢ０と、対応する送信信号との差分が大きくなる。すると、フィードバック信号ＦＢ０と、対応する送信信号との差分が予め定められた閾値よりも大きくなる。このため、差分を０に近づける歪補償係数の算出に費やされる時間が長くなり、結果として、送信信号の歪の補償に費やされる時間が長くなる。すると、Ａ区間に含まれる各送信区間において、アンテナ系統１０に対応するＶＳＷＲを算出するための時間が残されない可能性がある。
【００７５】
そこで、図３の最下段に示すように、ＳＷ制御部５３は、Ａ区間に含まれる各送信区間において、アンテナ系統１０の分岐器１９によって出力される第１の反射信号Ｖ０を選択する旨を指示する選択指令をアンテナ系統３０のＳＷ部４０へ送出する。ＳＷ部４０のＳＷ４０ｂは、選択指令を受け付けると、アンテナ系統１０の分岐器１９によって出力される第１の反射信号Ｖ０を選択し、選択した第１の反射信号Ｖ０を共通経路を介して送信信号処理部５１のＶＳＷＲ算出部５１ｂへ出力する。これにより、アンテナ系統１０に対応するフィードバック信号ＦＢ０を用いた送信信号の歪の補償が歪補償部５１ａによって実行される場合に、アンテナ系統１０に対応する第１の反射信号Ｖ０を用いたＶＳＷＲの算出がＶＳＷＲ算出部５１ｂによって実行される。
【００７６】
また、Ａ区間の後の区間（図３の例では、「Ｂ区間」と記載）では、フィードバック信号ＦＢ０の時間変動が比較的に小さいため、フィードバック信号ＦＢ０と、対応する送信信号との差分が小さくなる。すると、フィードバック信号ＦＢ０と、対応する送信信号との差分が予め定められた閾値以下となる。このため、差分を０に近づける歪補償係数の算出に費やされる時間が短くなり、結果として、送信信号の歪の補償に費やされる時間が短くなる。すると、Ｂ区間に含まれる各送信区間において、アンテナ系統１０に対応するＶＳＷＲを算出するための時間が残存する可能性が高い。
【００７７】
そこで、図３の上から２段目に示すように、ＳＷ制御部５３は、Ｂ区間に含まれる各送信区間において、アンテナ系統１０の分岐器１９によって出力される第２の反射信号Ｖ０´を選択する旨を指示する選択指令をアンテナ系統１０のＳＷ部２０へ送出する。ＳＷ部２０のＳＷ２０ａ及びＳＷ２０ｂは、選択指令を受け付けると、アンテナ系統１０の分岐器１９によって出力される第２の反射信号Ｖ０´を選択し、選択した第２の反射信号Ｖ０´を共通経路を介して送信信号処理部５１のＶＳＷＲ算出部５１ｂへ出力する。これにより、アンテナ系統１０のみを用いて、アンテナ系統１０に対応する送信信号の歪の補償及びＶＳＷＲの算出の両方が実行される。
【００７８】
図４は、ＲＲＨによる処理動作の一例を説明するための図（その２）である。図４の例では、図３に示した処理動作の後に、アンテナ系統１０，３０の両方を用いて信号の送受信が実行される場合の処理動作を説明するものとする。なお、アンテナ系統１０，３０の両方を用いて信号の送受信が実行される場合としては、例えば、ＭＩＭＯ（Multiple-Input  and  Multiple-Output）通信方式によって、比較的にデータ量の大きい送信信号を外部装置へ送信する場合等が想定される。また、図４では、図３のＢ区間の後の区間を「Ｃ区間」と記載し、Ｃ区間の後の区間を「Ｄ区間」と記載するものとする。
【００７９】
図４の上から２段目に示すように、ＳＷ制御部５３は、Ｃ区間に含まれる各送信区間において、アンテナ系統１０の分岐器１９によって出力される第２の反射信号Ｖ０´を選択する旨を指示する選択指令をアンテナ系統１０のＳＷ部２０へ送出する。ＳＷ部２０のＳＷ２０ａ及びＳＷ２０ｂは、選択指令を受け付けると、アンテナ系統１０の分岐器１９によって出力される第２の反射信号Ｖ０´を選択し、選択した第２の反射信号Ｖ０´を共通経路を介して送信信号処理部５１のＶＳＷＲ算出部５１ｂへ出力する。これにより、アンテナ系統１０のみを用いて、アンテナ系統１０に対応する送信信号の歪の補償及びＶＳＷＲの算出の両方が実行される。
【００８０】
また、図４の上から３段目に示すように、ＳＷ制御部５３は、Ｃ区間に含まれる各送信区間において、送信信号のフィードバック信号ＦＢ１を選択する旨を指示する選択指令をアンテナ系統３０のＳＷ部４０へ送出する。ＳＷ部４０のＳＷ４０ａ及びＳＷ４０ｂは、選択指令を受け付けると、フィードバック信号ＦＢ１を選択し、選択したフィードバック信号ＦＢ１を共通経路を介して送信信号処理部５１の歪補償部５１ａへ出力する。これにより、アンテナ系統３０に対応するフィードバック信号ＦＢ１を用いた送信信号の歪の補償が歪補償部５１ａによって実行される。
【００８１】
ここで、Ｃ区間では、フィードバック信号ＦＢ１の時間変動が比較的に大きいため、フィードバック信号ＦＢ１と、対応する送信信号との差分が大きくなる。すると、フィードバック信号ＦＢ１と、対応する送信信号との差分が予め定められた閾値よりも大きくなる。このため、差分を０に近づける歪補償係数の算出に費やされる時間が長くなり、結果として、送信信号の歪の補償に費やされる時間が長くなる。すると、Ｃ区間に含まれる各送信区間において、アンテナ系統３０に対応するＶＳＷＲを算出するための時間が残されない可能性がある。
【００８２】
そこで、図４の上から２段目に示すように、ＳＷ制御部５３は、Ｃ区間に含まれる各送信区間において、アンテナ系統３０の分岐器３９によって出力される第１の反射信号Ｖ１を選択する旨を指示する選択指令をアンテナ系統１０のＳＷ部２０へ送出する。ＳＷ部２０のＳＷ２０ｂは、選択指令を受け付けると、アンテナ系統３０の分岐器３９によって出力される第１の反射信号Ｖ１を選択し、選択した第１の反射信号Ｖ１を共通経路を介して送信信号処理部５１のＶＳＷＲ算出部５１ｂへ出力する。これにより、アンテナ系統３０に対応するフィードバック信号ＦＢ１を用いた送信信号の歪の補償が歪補償部５１ａによって実行される場合に、アンテナ系統３０に対応する第１の反射信号Ｖ１を用いたＶＳＷＲの算出がＶＳＷＲ算出部５１ｂによって実行される。
【００８３】
また、Ｃ区間の後の区間（図４の例では、「Ｄ区間」と記載）では、フィードバック信号ＦＢ１の時間変動が比較的に小さいため、フィードバック信号ＦＢ１と、対応する送信信号との差分が小さくなる。すると、フィードバック信号ＦＢ１と、対応する送信信号との差分が予め定められた閾値以下となる。このため、差分を０に近づける歪補償係数の算出に費やされる時間が短くなり、結果として、送信信号の歪の補償に費やされる時間が短くなる。すると、Ｄ区間に含まれる各送信区間において、アンテナ系統３０に対応するＶＳＷＲを算出するための時間が残存する可能性が高い。
【００８４】
そこで、図４の最下段に示すように、ＳＷ制御部５３は、Ｄ区間に含まれる各送信区間において、アンテナ系統３０の分岐器３９によって出力される第２の反射信号Ｖ１´を選択する旨を指示する選択指令をアンテナ系統３０のＳＷ部４０へ送出する。ＳＷ部４０のＳＷ４０ａ及びＳＷ４０ｂは、選択指令を受け付けると、アンテナ系統３０の分岐器３９によって出力される第２の反射信号Ｖ１´を選択し、選択した第２の反射信号Ｖ１´を共通経路を介して送信信号処理部５１のＶＳＷＲ算出部５１ｂへ出力する。これにより、アンテナ系統３０のみを用いて、アンテナ系統３０に対応する送信信号の歪の補償及びＶＳＷＲの算出の両方が実行される。
【００８５】
次に、図５及び図６を参照して、ＲＲＨ１における信号の選択処理について説明する。図５は、ＲＲＨにおける信号の選択処理の流れを示すフローチャート（その１）である。なお、図５に示す信号の選択処理は、図３に示した処理動作に対応するものとする。
【００８６】
図５に示すように、送信区間が到来すると（Ｓ１０１肯定）、ＳＷ制御部５３は、送信信号のフィードバック信号ＦＢ０を選択する旨を指示する選択指令をアンテナ系統１０のＳＷ部２０へ送出する。ＳＷ部２０のＳＷ２０ａ及びＳＷ２０ｂは、選択指令を受け付けると、フィードバック信号ＦＢ０を選択し、選択したフィードバック信号ＦＢ０を共通経路を介して送信信号処理部５１の歪補償部５１ａへ出力する（Ｓ１０２）。これにより、アンテナ系統１０に対応するフィードバック信号ＦＢ０を用いた送信信号の歪の補償が歪補償部５１ａによって実行される。
【００８７】
ＳＷ制御部５３は、歪補償係数の算出に用いられた、フィードバック信号ＦＢ０と、対応する送信信号との差分を示す情報を歪補償部５１ａから受ける。ＳＷ制御部５３は、差分が予め定められた閾値以下である場合（Ｓ１０３否定）、アンテナ系統１０の分岐器１９によって出力される第２の反射信号Ｖ０´を選択する旨を指示する選択指令をＳＷ部２０のＳＷ２０ａ及びＳＷ２０ｂへ送出する。ＳＷ部２０のＳＷ２０ａ及びＳＷ２０ｂは、選択指令を受け付けると、アンテナ系統１０の分岐器１９によって出力される第２の反射信号Ｖ０´を選択し、第２の反射信号Ｖ０´を共通経路を介して送信信号処理部５１のＶＳＷＲ算出部５１ｂへ出力する（Ｓ１０４）。これにより、アンテナ系統１０のみを用いて、送信信号の歪の補償及びＶＳＷＲの算出の両方が実行される。
【００８８】
一方、ＳＷ制御部５３は、差分が予め定められた閾値よりも大きい場合（Ｓ１０３肯定）、アンテナ系統１０に対応するＶＳＷＲを算出するための時間が残存するか否かを判定する（Ｓ１０５）。ＳＷ制御部５３は、アンテナ系統１０に対応するＶＳＷＲを算出するための時間が残存する場合（Ｓ１０５肯定）、処理をＳ１０２に戻し、フィードバック信号ＦＢ０の選択を継続する。
【００８９】
ＳＷ制御部５３は、アンテナ系統１０に対応するＶＳＷＲを算出するための時間が残存しない場合（Ｓ１０５否定）、以下の処理を行う。すなわち、ＳＷ制御部５３は、アンテナ系統１０の分岐器１９によって出力される第１の反射信号Ｖ０を選択する旨を指示する選択指令をアンテナ系統３０のＳＷ部４０へ送出し（Ｓ１０６）、処理をＳ１０２に戻し、フィードバック信号ＦＢ０の選択を継続する。
【００９０】
アンテナ系統３０のＳＷ部４０は、ＳＷ制御部３０からの選択指令を受け付けていない場合（Ｓ１０７否定）、そのまま処理を終了する。ＳＷ部４０のＳＷ４０ｂは、選択指令を受け付けると（Ｓ１０７肯定）、アンテナ系統１０の分岐器１９によって出力される第１の反射信号Ｖ０を選択し、第１の反射信号Ｖ０を共通経路を介して送信信号処理部５１のＶＳＷＲ算出部５１ｂへ出力する（Ｓ１０８）。これにより、アンテナ系統１０に対応するフィードバック信号ＦＢ０を用いた送信信号の歪の補償が歪補償部５１ａによって実行される場合に、アンテナ系統１０に対応する第１の反射信号Ｖ０を用いたＶＳＷＲの算出がＶＳＷＲ算出部５１ｂによって実行される。
【００９１】
図６は、ＲＲＨにおける信号の選択処理の流れを示すフローチャート（その２）である。なお、図６に示す信号の選択処理は、図４に示した処理動作に対応するものとする。
【００９２】
図６に示すように、送信区間が到来すると（Ｓ１１１肯定）、ＳＷ制御部５３は、送信信号のフィードバック信号ＦＢ１を選択する旨を指示する選択指令をアンテナ系統３０のＳＷ部４０へ送出する。ＳＷ部４０のＳＷ４０ａ及びＳＷ４０ｂは、選択指令を受け付けると、フィードバック信号ＦＢ１を選択し、選択したフィードバック信号ＦＢ１を共通経路を介して送信信号処理部５１の歪補償部５１ａへ出力する（Ｓ１１２）。これにより、アンテナ系統３０に対応するフィードバック信号ＦＢ１を用いた送信信号の歪の補償が歪補償部５１ａによって実行される。
【００９３】
ＳＷ制御部５３は、歪補償係数の算出に用いられた、フィードバック信号ＦＢ１と、対応する送信信号との差分を示す情報を歪補償部５１ａから受ける。ＳＷ制御部５３は、差分が予め定められた閾値以下である場合（Ｓ１１３否定）、アンテナ系統３０の分岐器３９によって出力される第２の反射信号Ｖ１´を選択する旨を指示する選択指令をアンテナ系統３０のＳＷ部４０へ送出する。ＳＷ部４０のＳＷ４０ａ及びＳＷ４０ｂは、選択指令を受け付けると、アンテナ系統３０の分岐器３９によって出力される第２の反射信号Ｖ１´を選択し、第２の反射信号Ｖ１´を共通経路を介して送信信号処理部５１のＶＳＷＲ算出部５１ｂへ出力する（Ｓ１１４）。これにより、アンテナ系統３０のみを用いて、アンテナ系統３０に対応する送信信号の歪の補償及びＶＳＷＲの算出の両方が実行される。
【００９４】
一方、ＳＷ制御部５３は、差分が予め定められた閾値よりも大きい場合（Ｓ１１３肯定）、アンテナ系統３０に対応するＶＳＷＲを算出するための時間が残存するか否かを判定する（Ｓ１１５）。ＳＷ制御部５３は、アンテナ系統３０に対応するＶＳＷＲを算出するための時間が残存する場合（Ｓ１１５肯定）、処理をＳ１１２に戻し、フィードバック信号ＦＢ１の選択を継続する。
【００９５】
ＳＷ制御部５３は、アンテナ系統３０に対応するＶＳＷＲを算出するための時間が残存しない場合（Ｓ１１５否定）、以下の処理を行う。すなわち、ＳＷ制御部５３は、アンテナ系統３０の分岐器３９によって出力される第１の反射信号Ｖ１を選択する旨を指示する選択指令をアンテナ系統１０のＳＷ部２０へ送出し（Ｓ１１６）、処理をＳ１１２に戻し、フィードバック信号ＦＢ１の選択を継続する。
【００９６】
また、送信区間が到来すると（Ｓ１１１肯定）、ＳＷ制御部５３は、送信信号のフィードバック信号ＦＢ０を選択する旨を指示する選択指令をアンテナ系統１０のＳＷ部２０へ送出する。ＳＷ部２０のＳＷ２０ａ及びＳＷ２０ｂは、選択指令を受け付けると、フィードバック信号ＦＢ０を選択し、選択したフィードバック信号ＦＢ０を共通経路を介して送信信号処理部５１の歪補償部５１ａへ出力する（Ｓ１１７）。これにより、アンテナ系統１０に対応するフィードバック信号ＦＢ０を用いた送信信号の歪の補償が歪補償部５１ａによって実行される。
【００９７】
ＳＷ制御部５３は、歪補償係数の算出に用いられた、フィードバック信号ＦＢ０と、対応する送信信号との差分が予め定められた閾値以下であるため、以下の処理を行う。すなわち、ＳＷ制御部５３は、アンテナ系統１０の分岐器１９によって出力される第２の反射信号Ｖ０´を選択する旨を指示する選択指令をアンテナ系統１０のＳＷ部２０へ送出する。ＳＷ部２０のＳＷ２０ａ及びＳＷ２０ｂは、選択指令を受け付けると、アンテナ系統１０の分岐器１９によって出力される第２の反射信号Ｖ０´を選択し、第２の反射信号Ｖ０´を共通経路を介して送信信号処理部５１のＶＳＷＲ算出部５１ｂへ出力する（Ｓ１１８）。これにより、アンテナ系統１０のみを用いて、アンテナ系統１０に対応する送信信号の歪の補償及びＶＳＷＲの算出の両方が実行される。
【００９８】
アンテナ系統１０のＳＷ部２０は、アンテナ系統３０の分岐器３９によって出力される第１の反射信号Ｖ１を選択する旨を指示する選択指令をＳＷ制御部３０から受け付けていない場合（Ｓ１１９否定）、そのまま処理を終了する。ＳＷ部２０のＳＷ２０ｂは、選択指令を受け付けると（Ｓ１１９肯定）、アンテナ系統３０の分岐器３９によって出力される第１の反射信号Ｖ１を選択し、第１の反射信号Ｖ１を共通経路を介して送信信号処理部５１のＶＳＷＲ算出部５１ｂへ出力する（Ｓ１２０）。これにより、アンテナ系統３０に対応するフィードバック信号ＦＢ１を用いた送信信号の歪の補償が歪補償部５１ａによって実行される場合に、アンテナ系統３０に対応する第１の反射信号Ｖ１を用いたＶＳＷＲの算出がＶＳＷＲ算出部５１ｂによって実行される。
【００９９】
以上のように、本実施例のＲＲＨ１は、アンテナ系統１０，３０のうち一つのアンテナ系統によって選択されるフィードバック信号を用いた歪の補償が実行される場合に、他のアンテナ系統のＳＷ部を制御して、一つのアンテナ系統に対応するＶＳＷＲを算出する。これにより、歪の補償とＶＳＷＲの算出とを両立することができる。
【０１００】
例えば、本実施例のＲＲＨ１は、一つのアンテナ系統によって選択されるフィードバック信号と、対応する送信信号との差分が予め定められた閾値よりも大きい場合に、他のアンテナ系統のＳＷ部を制御して、一つのアンテナ系統に対応するＶＳＷＲを算出する。これにより、上記の差分を０に近づける歪補償係数を算出するための時間が比較的に長くなる場合であっても、他のアンテナ系統を用いて、一つのアンテナ系統に対応するＶＳＷＲを算出することが可能となる。その結果、本実施例のＲＲＨ１によれば、歪補償特性の劣化を抑制し、かつ、ＶＳＷＲの算出精度を維持することができる。
【実施例２】
【０１０１】
実施例２では、各アンテナ系統のＳＷ部が受信信号を選択し得る点が、実施例１と異なる。そこで、以下では、各アンテナ系統のＳＷ部が受信信号を選択し得る点について主に説明する。
【０１０２】
図７は、実施例２におけるＲＲＨの詳細を示すブロック図である。なお、実施例２において実施例１と同様の符号を有する各部は、特に説明の無い限り実施例１と同様の機能を有するものとする。
【０１０３】
図７に示すように、ＲＲＨ１００は、アンテナ系統１１０，１３０及び信号処理部１５０を有する。また、信号処理部１５０は、図２に示したＳＷ制御部５３に代えて、ＳＷ制御部１５３を有する。また、信号処理部１５０は、ＳＷ１５４及びＳＷ１５５を新たに有する。
【０１０４】
アンテナ系統１１０は、図２に示したＳＷ部２０に代えて、ＳＷ部１２０を有する。また、アンテナ系統１１０は、図２に示した周波数変換器２２及び周波数変換器２５に代えて、周波数変換器１２２を有する。また、アンテナ系統１１０は、図２に示したＡＤＣ２３及びＡＤＣ２６に代えて、ＡＤＣ１２３を有する。また、アンテナ系統１１０は、図２に示したＡＴＴ２１を有さない。
【０１０５】
ＳＷ部１２０は、第２の反射信号、アンテナ系統１３０の分岐器３９によって出力される第１の反射信号、送信信号のフィードバック信号、又は受信信号を選択し、選択した信号を共通経路を介して出力する。具体的には、ＳＷ部１２０は、ＳＷ１２０ａ及びＳＷ１２０ｂを有する。
【０１０６】
ＳＷ１２０ａは、フィードバック信号の入力をＣＰＬ１５から受け、受信信号の入力をＬＮＡ２４から受ける。ＳＷ１２０ａは、フィードバック信号又は受信信号を選択し、選択したフィードバック信号又は受信信号をＳＷ１２０ｂへ出力する。
【０１０７】
ＳＷ１２０ｂは、フィードバック信号又は受信信号の入力をＳＷ１２０ａから受け、第２の反射信号の入力を分岐器１９から受け、アンテナ系統１３０の分岐器３９によって出力される第１の反射信号の入力をアンテナ系統３０の分岐器３９から受ける。ＳＷ１２０ｂは、第２の反射信号、アンテナ系統１３０の分岐器３９によって出力される第１の反射信号、フィードバック信号又は受信信号を選択し、選択した信号を周波数変換器１２２へ出力する。ＳＷ１２０ｂから周波数変換器１２２へ出力された信号は、周波数変換器１２２及びＡＤＣ１２３を介してアンテナ系統１１０から出力され、信号処理部１５０のＳＷ１５４へ入力される。
【０１０８】
このように、ＳＷ部１２０は、ＳＷ１２０ａ及びＳＷ１２０ｂを用いて、第２の反射信号、アンテナ系統３０の分岐器３９によって出力される第１の反射信号、フィードバック信号又は受信信号１を選択する。そして、ＳＷ部１２０は、選択した信号を、共通経路である、周波数変換器１２２及びＡＤＣ１２３を介して、信号処理部１５０のＳＷ１５４へ出力する。このように、周波数変換器１２２及びＡＤＣ１２３が共通経路として共用されることによって、アンテナ系統１１０の回路規模が削減される。
【０１０９】
なお、ＳＷ部１２０における信号の選択は、後述するＳＷ制御部１５３によって制御される。ＳＷ部１２０は、選択部の一例である。
【０１１０】
周波数変換器１２２は、ＳＷ部１２０によって選択される、第２の反射信号、アンテナ系統１３０の分岐器３９によって出力される第１の反射信号、送信信号のフィードバック信号、又は受信信号の入力を受ける。周波数変換器１２２は、第２の反射信号、アンテナ系統１３０の分岐器３９によって出力される第１の反射信号、送信信号のフィードバック信号、又は受信信号に対して周波数変換を施してベースバンド信号に変換し、ベースバンド信号に変換された信号をＡＤＣ１２３へ出力する。
【０１１１】
ＡＤＣ１２３は、第２の反射信号、アンテナ系統１３０の分岐器３９によって出力される第１の反射信号、送信信号のフィードバック信号、又は受信信号の入力を周波数変換器１２２から受ける。ＡＤＣ１２３は、第２の反射信号、アンテナ系統１３０の分岐器３９によって出力される第１の反射信号、送信信号のフィードバック信号、又は受信信号をディジタル信号に変換し、ディジタル信号に変換された信号を信号処理部１５０のＳＷ１５４へ出力する。
【０１１２】
アンテナ系統１３０は、図２に示したＳＷ部４０に代えて、ＳＷ部１４０を有する。また、アンテナ系統１３０は、図２に示した周波数変換器４２及び周波数変換器４５に代えて、周波数変換器１４２を有する。また、アンテナ系統１３０は、図２に示したＡＤＣ４３及びＡＤＣ４６に代えて、ＡＤＣ１４３を有する。また、アンテナ系統１３０は、図２に示したＡＴＴ４１を有さない。
【０１１３】
ＳＷ部１４０は、第２の反射信号、アンテナ系統１１０の分岐器１９によって出力される第１の反射信号、送信信号のフィードバック信号、又は受信信号を選択し、選択した信号を共通経路を介して出力する。具体的には、ＳＷ部１４０は、ＳＷ１４０ａ及びＳＷ１４０ｂを有する。
【０１１４】
ＳＷ１４０ａは、フィードバック信号の入力をＣＰＬ３５から受け、受信信号の入力をＬＮＡ４４から受ける。ＳＷ１４０ａは、フィードバック信号又は受信信号を選択し、選択したフィードバック信号又は受信信号をＳＷ１４０ｂへ出力する。
【０１１５】
ＳＷ１４０ｂは、フィードバック信号又は受信信号の入力をＳＷ１４０ａから受け、第２の反射信号の入力を分岐器３９から受け、アンテナ系統１１０の分岐器１９によって出力される第１の反射信号の入力をアンテナ系統１１０の分岐器１９から受ける。ＳＷ１４０ｂは、第２の反射信号、アンテナ系統１１０の分岐器１９によって出力される第１の反射信号、フィードバック信号又は受信信号を選択し、選択した信号を周波数変換器１４２へ出力する。ＳＷ１４０ｂから周波数変換器１４２へ出力された信号は、周波数変換器１４２及びＡＤＣ１４３を介してアンテナ系統１３０から出力され、信号処理部１５０のＳＷ１５５へ入力される。
【０１１６】
このように、ＳＷ部１４０は、ＳＷ１４０ａ及びＳＷ１４０ｂを用いて、第２の反射信号、アンテナ系統１１０の分岐器１９によって出力される第１の反射信号、フィードバック信号又は受信信号を選択する。そして、ＳＷ部１４０は、選択した信号を、共通経路である、周波数変換器１４２及びＡＤＣ１４３を介して、信号処理部１５０のＳＷ１５５へ出力する。このように、周波数変換器１４２及びＡＤＣ１４３が共通経路として共用されることによって、アンテナ系統１３０の回路規模が削減される。
【０１１７】
なお、ＳＷ部１４０における信号の選択は、後述するＳＷ制御部１５３によって制御される。ＳＷ部１４０は、選択部の一例である。
【０１１８】
周波数変換器１４２は、ＳＷ部１４０によって選択される、第２の反射信号、アンテナ系統１１０の分岐器１９によって出力される第１の反射信号、送信信号のフィードバック信号、又は受信信号の入力を受ける。周波数変換器１４２は、第２の反射信号、アンテナ系統１１０の分岐器１９によって出力される第１の反射信号、送信信号のフィードバック信号、又は受信信号に対して周波数変換を施してベースバンド信号に変換し、ベースバンド信号に変換された信号をＡＤＣ１４３へ出力する。
【０１１９】
ＡＤＣ１４３は、第２の反射信号、アンテナ系統１１０の分岐器１９によって出力される第１の反射信号、送信信号のフィードバック信号、又は受信信号の入力を周波数変換器１４２から受ける。ＡＤＣ１４３は、第２の反射信号、アンテナ系統１１０の分岐器１９によって出力される第１の反射信号、送信信号のフィードバック信号、又は受信信号をディジタル信号に変換し、ディジタル信号に変換された信号を信号処理部５０のＳＷ１５５へ出力する。
【０１２０】
ＳＷ１５４は、ＳＷ制御部１５３の制御に従って、ＡＤＣ１２３からの信号を送信信号処理部５１又は受信信号処理部５２へ選択的に出力する。
【０１２１】
ＳＷ１５５は、ＳＷ制御部１５３の制御に従って、ＡＤＣ１４３からの信号を送信信号処理部５１又は受信信号処理部５２へ選択的に出力する。
【０１２２】
ＳＷ制御部１５３は、基本的には、図２に示したＳＷ制御部５３と同様の機能を有する。さらに、ＳＷ制御部１５３は、各アンテナ系統のＳＷ部（ＳＷ部１２０又はＳＷ部１４０）によって選択される受信信号を受信信号処理部５２に入力させる。例えば、ＳＷ制御部１５３は、時分割多重方式の受信区間において、ＳＷ１５４を制御して、ＡＤＣ１２３からの受信信号を受信信号処理部５２に入力させ、ＳＷ１５５を制御して、ＡＤＣ１４３からの受信信号を受信信号処理部５２に入力させる。
【０１２３】
また、ＳＷ制御部１５３は、各アンテナ系統のＳＷ部（ＳＷ部１２０又はＳＷ部１４０）によって選択される受信信号以外の信号を送信信号処理部５１に入力させる。例えば、ＳＷ制御部１５３は、時分割多重方式の送信区間において、ＳＷ１５４を制御して、第２の反射信号、アンテナ系統１３０の分岐器３９によって出力される第１の反射信号、又は送信信号のフィードバック信号を送信信号処理部５１に入力させる。また、例えば、ＳＷ制御部１５３は、時分割多重方式の送信区間において、ＳＷ１５５を制御して、第２の反射信号、アンテナ系統１１０の分岐器１９によって出力される第１の反射信号、又は送信信号のフィードバック信号を送信信号処理部５１に入力させる。
【０１２４】
以上のように、本実施例のＲＨＨ１００において、各アンテナ系統のＳＷ部は、第２の反射信号、他のアンテナ系統の分岐器によって出力される第１の反射信号、送信信号のフィードバック信号、又は受信信号を選択し、選択した信号を共通経路を介して出力する。そして、本実施例のＲＨＨ１００は、各アンテナ系統のＳＷ部によって選択される受信信号を受信信号処理部に入力させる。これにより、反射信号、送信信号のフィードバック信号又は受信信号を１つの経路を用いて出力することができ、結果として、ＲＨＨ全体の回路規模を削減することが可能となる。
【０１２５】
なお、上述の説明では、ＲＨＨが２つのアンテナ系統（アンテナ系統１０，３０又はアンテナ系統１１０，１３０）を有する例を示したが、アンテナ系統の個数は、２つに限られず、３つ以上であってもよい。
【符号の説明】
【０１２６】
１、１００  ＲＨＨ
１０、３０、１１０、１３０  アンテナ系統
１１、３１  アンテナ
１９、３９  分岐器
２０、４０、１２０、１４０  ＳＷ部
５１ａ  歪補償部
５１ｂ  ＶＳＷＲ算出部
５３、１５３  ＳＷ制御部
【図１】
2017005514.tif 000003
【図２】
2017005514.tif 000004
【図３】
2017005514.tif 000005
【図４】
2017005514.tif 000006
【図５】
2017005514.tif 000007
【図６】
2017005514.tif 000008
【図７】
2017005514.tif 000009